(57)【特許請求の範囲】
【請求項１】
収穫された、または生長中の野菜および果物の生体情報によってホルメシスを誘導するための刺激の強さを決定し、決定された前記刺激の強さに基づいて、ホルメシスを誘導するための光の種類、光量、光照射時間、光の波長及び温度のうち１種以上を制御する制御部と、
前記決定された刺激の強さに基づいて前記野菜および果物に光を照射するかまたは温度を調節して適用する刺激生成部と、
前記収穫された、または生長中の野菜および果物の生体情報を獲得する生体情報獲得部と、を含み、
前記制御部は、前記獲得された生体情報と目標生体情報の差を算出し、算出された前記差に基づいて前記刺激の強さを決定することを特徴とする野菜および果物のホルメシス誘導装置。
【請求項２】
前記生体情報は、前記野菜および果物の種類、温度、野菜および果物表面または内部の微生物の種類と量、水分含量、栄養成分、新鮮度、色度または機能性物質に関する情報であることを特徴とする請求項１に記載の野菜および果物のホルメシス誘導装置。
【請求項３】
前記ホルメシス誘導装置は、前記生体情報及び前記刺激の強さを出力する出力部と、前記生体情報及び前記刺激の強さを外部機器に伝送するインターフェース部と、ネットワーク接続のための通信部と、メモリと、ユーザ入力部及び生体情報測定部のうち少なくとも１つをさらに含むことを特徴とする請求項１に記載の野菜および果物のホルメシス誘導装置。
【請求項４】
前記ホルメシス誘導装置は、生長中の野菜および果物が植栽された温室の上部天井ないし側面部に位置し、
前記刺激生成部は、前記温室内部及び野菜および果物に向けて互いに異なる波長の光を選択的に照射できる光源部を含むことを特徴とする請求項１に記載の野菜および果物のホルメシス誘導装置。
【請求項５】
前記ホルメシス誘導装置は、収穫された野菜および果物が収納される収納部が形成された保管ケースをさらに含み、
前記刺激生成部は、前記保管ケースの内に配置され、前記収納部に向けて互いに異なる波長の光を選択的に照射できる光源部を含むことを特徴とする請求項１に記載の野菜および果物のホルメシス誘導装置。
【請求項６】
前記保管ケースは、内部に収納部が形成され、少なくとも一面が開放された内部ケースと、
前記内部ケースの外周面を離隔して取り囲む外部ケースと、
前記内部ケース及び前記外部ケースの間の離隔によって形成された空間部と、をさらに含み、
前記光源部は、前記空間部に配置され、前記収納部の内部に光を照射することを特徴とする請求項５に記載の野菜および果物のホルメシス誘導装置。
【請求項７】
前記内部ケースは、透光性であることを特徴とする請求項６に記載の野菜および果物のホルメシス誘導装置。
【請求項８】
前記光源部は、紫外線発光ダイオードを含むことを特徴とする請求項４または５に記載の野菜および果物のホルメシス誘導装置。
【請求項９】
前記光源部は、第１波長帯域の光を発光する第１発光ダイオードグループ、第２波長帯域の光を発光する第２発光ダイオードグループ、第３波長帯域の光を発光する第３発光ダイオードグループ及び第４波長帯域の光を発光する第４発光ダイオードグループのうち１種または２種以上を含むことを特徴とする請求項４または５に記載の野菜および果物のホルメシス誘導装置。
【請求項１０】
前記第１発光ダイオードグループは、３２０ｎｍ〜４００ｎｍ波長帯域内で選択される互いに異なる波長の光を発光する発光ダイオードを１つ以上含み、前記第２発光ダイオードグループは、２９０ｎｍ〜３２０ｎｍ波長帯域内で選択される互いに異なる波長の光を発光する発光ダイオードを１つ以上含み、前記第３発光ダイオードグループは、２００ｎｍ〜２９０ｎｍ波長帯域内で選択される互いに異なる波長の光を発光する発光ダイオードを１つ以上含み、前記第４発光ダイオードグループは、５９５ｎｍ〜６００ｎｍ波長帯域内で選択される互いに異なる波長の光を発光する発光ダイオードを１つ以上含むことを特徴とする請求項９に記載の野菜および果物のホルメシス誘導装置。
【請求項１１】
前記制御部は
前記第１発光ダイオードグループ、前記第２発光ダイオードグループ、前記第３発光ダイオードグループまたは前記第４発光ダイオードグループに流される電流のオン／オフを並列的に制御する光選択制御部と、
前記第１発光ダイオードグループ、前記第２発光ダイオードグループ、前記第３発光ダイオードグループまたは前記第４発光ダイオードグループに印加される電流の量を並列的に制御する光量制御部と、
前記電流の流れる時間を制御する時間制御部と、を含むことを特徴とする請求項９に記載の野菜および果物のホルメシス誘導装置。
【請求項１２】
前記ホルメシス誘導装置は、
前記温室内の温度情報を収集する温度センサー部と、
前記温室内の温度を下げるクーラーと、
前記温室内の温度を上げるヒーターと、をさらに含むことを特徴とする請求項４に記載の野菜および果物のホルメシス誘導装置。
【請求項１３】
前記保管ケースは、
前記収納部内の温度情報を収集する温度センサー部と、
前記収納部内の温度を下げるクーラーと、
前記収納部内の温度を上げるヒーターと、をさらに含むことを特徴とする請求項５に記載の野菜および果物のホルメシス誘導装置。
【請求項１４】
前記ホルメシス誘導装置は、前記温室内部の設定温度情報を入力する温度情報入力部と、
前記温度情報入力部によって入力された温度情報と前記温度センサー部によって収集された温度情報を比較し、前記ヒーター及びクーラーのうちいずれか１つの作動を制御する温度制御部と、をさらに含むことを特徴とする請求項１２に記載の野菜および果物のホルメシス誘導装置。
【請求項１５】
前記ホルメシス誘導装置は、前記収納部内の設定温度情報を入力する温度情報入力部と、
前記温度情報入力部によって入力された温度情報と前記温度センサー部によって収集された温度情報を比較し、前記ヒーター及びクーラーのうちいずれか１つの作動を制御する温度制御部と、をさらに含むことを特徴とする請求項１３に記載の野菜および果物のホルメシス誘導装置。
【発明の詳細な説明】
【技術分野】
【０００１】
本発明は、果菜類のホルメシス誘導装置に関し、より具体的には、紫外線発光ダイオードを利用した収穫または生長中の野菜及び果物のホルメシス誘導装置に関する。
【背景技術】
【０００２】
生物体は、微量の外部ストレスに対して自らを防御する刺激反応メカニズムを持っている。刺激反応メカニズムは、生物体が特定の外部ストレスに露出したとき、特異的に作動し、一般的に、生物体が外部ストレスに対して耐性を有するようにする固有の生体防御物質を生産する。このように、適正量の外部ストレスが生物体にとって生物体の生存を脅威にさらすよりは、むしろ生物体の刺激反応メカニズムを活性化させて、外部ストレスに対する耐性を向上させる肯定的な現象をホルメシス（ｈｏｒｍｅｓｉｓ）と言う。
【０００３】
最近、このようなホルメシス現象によって生物体が生成する固有の生体防御物質のうち、人間の健康にも有用な物質が多数存在することが明らかにされた。これにより、生物体自体のメカニズムを利用した健康機能性物質の生産に関する研究が活発に進められており、特に紫外線ランプを利用して植物に紫外線を照射することによって、健康機能性物質の含有量を向上させたという研究結果は、その効率性の側面で学界の注目を集めている。このような研究は、紫外線によるホルメシス現象を野菜及び果物に適用し、収穫または生長中の野菜及び果物の健康機能性及び効用性をさらに向上させることができることを示唆する。
【０００４】
しかし、その研究で利用された紫外線ランプの場合、ランプで発生する熱に起因して、密閉された空間に収納された野菜及び果物に適用することに問題がある。すなわち、紫外線ランプは、発光に伴って多量の熱が発生し、密閉された空間内に放出された熱は、外部に抜け出させず、閉じこめられる。このように閉じこめられた熱は、収穫されて収納された野菜及び果物、またはビニルハウスのような温室で生長中の果菜類に他の外部ストレスとして作用し、目的とする健康機能性物質の生産効率を低下させるか、または予想しない第３の物質を生産させる問題がある。また、密閉された空間内で持続的に蓄積された熱に起因して、野菜及び果物中のタンパク質をはじめとして熱に弱い栄養素が変性及び破壊され、野菜及び果物の鮮度や食感が劣化する問題がある。また、紫外線ランプの場合、発光される紫外線の波長幅が広く、野菜及び果物に照射されても、ホルメシスの誘導効率が低下する問題がある。
【０００５】
これより、収穫または生長中の果菜類に紫外線を照射してホルメシスを誘導するに際して、特定波長の紫外線を照射しながらも、熱による影響を最小化することによって、ホルメシス誘導効率を極大化することができる果菜類のホルメシス誘導装置の開発が必要なものと予想される。
【発明の概要】
【発明が解決しようとする課題】
【０００６】
紫外線を利用して野菜及び果物のホルメシス現象を誘導することによって、野菜及び果物中の健康機能性物質の含有量を向上させることができる野菜及び果物ホルメシス誘導装置を提供することにある。
【課題を解決するための手段】
【０００７】
前記課題を達成するために、本発明の一態様は、収穫または生長中の果菜類の生体情報によって刺激の強さを決定し、決定された前記刺激の強さに基づいて光の種類、光量、光照射時間、光の波長及び温度のうち１種以上を制御する制御部と、前記決定された刺激の強さに基づいて前記果菜類に光を照射するかまたは温度を調節して適用する刺激生成部とを含む、果菜類のホルメシス誘導装置を提供する。
【発明の効果】
【０００８】
本発明の果菜類のホルメシス誘導装置は、野菜及び果物に紫外線ストレスを加えてホルメシスを誘導することによって、野菜及び果物中の健康機能性物質の含有量を向上させる効果がある。さらに、本発明の野菜及び果物ホルメシス誘導装置は、照射光の種類、光量、照射時間または温度を外部で適切に制御することができるので、多様な種類の野菜及び果物に対して個別に最適化されたホルメシス誘導条件を提供することができる効果がある。
【０００９】
但し、本発明の技術的効果は、以上で言及したものに制限されず、言及されない他の技術的効果は、下記の記載から当業者に明確に理解され得る。
【図面の簡単な説明】
【００１０】
【図１】図１は、本発明の第１実施形態による果菜類のホルメシス誘導装置を示す斜視図である。
【図２】図２は、図１の切断線Ｉ−Ｉ’に沿って切り取られた断面図である。
【図３】図３は、本発明の第２実施形態による果菜類のホルメシス誘導装置を示す斜視図である。
【図４】図４は、図３の切断線II−II’に沿って切り取られた断面図である。
【図５】図５は、本発明の果菜類のホルメシス誘導装置を示す概念ブロック図である。
【図６】図６は、本発明の第３実施形態による果菜類のホルメシス誘導装置を具備したビニルハウスの構成図である。
【発明を実施するための形態】
【００１１】
本明細書で使用される技術的用語は、ただ特定の実施形態を説明するために使用されたものであって、本発明を限定しようとする意図ではないことを留意しなければならない。
【００１２】
また、本明細書で図面において、層及び領域の厚さは、明確性を図るために誇張されたものである。
【００１３】
また、本明細書で使用される単数の表現は、文脈上明白に異なって意味しない限り、複数の表現を含む。本出願で、“構成される”または“含む”などの用語は、明細書上に記載された様々な構成要素、または様々な段階を必ずすべて含むものと解釈されてはならないし、そのうち一部の構成要素または一部の段階は含まれなくてもよく、または追加的な構成要素または段階をさらに含むことができるものと解釈されなければならない。
【００１４】
また、本明細書で使用される構成要素に対する接尾辞“モジュール”及び“部”は、明細書作成の容易性だけが考慮されて付与されるかまたは混用されるものであって、それ自体で互いに区別される意味または役目を有するものではない。
【００１５】
また、本明細書で使用される第１、第２などのように序数を含む用語は、多様な構成要素を説明するのに使用され得るが、構成要素は、用語によって限定されない。用語は、１つの構成要素を他の構成要素から区別する目的だけで使用される。例えば、本発明の権利範囲を逸脱することなく、第１構成要素は第２構成要素と命名されることができ、同様に、第２構成要素は、第１構成要素と命名され得る。
【００１６】
以下、添付の図面を参照して本発明による好ましい実施形態を詳しく説明するが、参照番号に関係なく、同一または類似の構成要素は、同一の参照番号を付与し、これに対する重複される説明を省略する。
【００１７】
図５は、本明細書に開示された一実施形態による果菜類のホルメシス誘導装置を示す概念ブロック図である。
【００１８】
果菜類のホルメシス誘導装置は、制御部と、刺激生成部とを含む。また、生体情報獲得部をさらに含むことができる。その他、通信部、生体情報測定部、ユーザ入力部、出力部、メモリ及びインターフェース部のうち少なくとも１つをさらに含むことができるが、これに限定されるものではない。図５に示された構成要素は、例示的なものであって、それより多くの構成要素を有するか、またはそれより少ない構成要素を有する果菜類のホルメシス誘導装置が具現されてもよい。
【００１９】
通信部は、果菜類のホルメシス誘導装置と通信システムとの間、果菜類のホルメシス誘導装置と生体情報測定部との間のネットワーク通信を可能にする１つ以上のモジュールを含むことができる。
【００２０】
通信部は、果菜類のホルメシス誘導装置がネットワークに接続するようにするための機能を含むものであって、果菜類のホルメシス誘導装置と通信システム、果菜類のホルメシス誘導装置と出力デバイス、または果菜類のホルメシス誘導装置と生体情報測定部間の通信を可能にする１つ以上のモジュールを含むことができる。
【００２１】
例えば、前記果菜類のホルメシス誘導装置は、通信部によって出力デバイス、または生体情報測定器のような別途の装置と接続することができる。また、通信部は、インターネットモジュール、近距離通信モジュール、その他通信手段などを含むことができる。
【００２２】
インターネットモジュールは、インターネット接続のためのモジュールを言い、果菜類のホルメシス誘導装置に内蔵されるかまたは外装され得る。
【００２３】
近距離通信モジュールは、近距離通信のためのモジュールを言う。
【００２４】
生体情報測定部は、例えば、果菜類の種類、温度、果菜類の表面または内部の微生物の種類と量、水分含量、栄養成分、新鮮度、色度または機能性物質に関する情報のような生体情報を測定することができるが、これに限定されるものではない。
【００２５】
生体情報測定の対象となる果菜類は、収穫または生長中のものであってもよく、収穫された果菜類は、別途の保管ケースに収納した状態で生体情報が測定されてもよく、生長中の果菜類は、ビニルハウスなどの温室に植栽された状態で生体情報が測定されてもよい。例えば、前記生体情報測定部は、各種センサーで具現されてもよい。
【００２６】
ユーザ入力部は、ユーザが入力した生体情報データ、または果菜類のホルメシス誘導装置の動作制御のための入力データを発生させる。ユーザ入力部は、キーパッド（ｋｅｙ  ｐａｄ）、ドームスイッチ（ｄｏｍｅ  ｓｗｉｔｃｈ）、タッチパッド（静圧／静電）、ジョグホイール、ジョグスイッチなどで構成されてもよい。
【００２７】
生体情報獲得部は、生体情報測定部で測定された生体情報またはユーザが入力した収穫または生長中の果菜類の生体情報を取得することができる。
【００２８】
生体情報は、対象果菜類に関する情報であって、例えば、果菜類の種類、温度、果菜類表面または内部の微生物の種類と量、水分含量、栄養成分、新鮮度、色度または機能性物質に関する情報を含むことができる。
【００２９】
生体情報測定部は、ホルメシス誘導装置内に具備されてもよく、ホルメシス誘導装置と別に具備されてもよい。生体情報測定部は、ホルメシス誘導装置内に具備された場合は、生体情報獲得部は、生体情報測定部で測定された生体情報を直接取得することができるが、ホルメシス誘導装置と別に具備された場合は、生体情報測定器のような生体情報測定部で測定された生体情報をインターネットモジュール、近距離通信モジュール、その他通信手段を利用して受信してもよい。
【００３０】
出力部は、果菜類のホルメシス誘導装置で処理される情報の出力（表示）を発生させるためのものであって、例えば、ホルメシス誘導装置が取得した生体情報または刺激の強さを出力（表示）することができる。出力部は、ホルメシス誘導装置内に具備されてもよく、出力部がホルメシス誘導装置と別に具備されてもよい。
【００３１】
出力部は、液晶ディスプレイ（ｌｉｑｕｉ  ｄｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）、電子インクディスプレイ（ｅ−ｉｎｋ  ｄｉｓｐｌａｙ）のうち少なくとも１つによって具現されてもよい。
【００３２】
メモリは、制御部の動作のためのプログラム（例えば、獲得された生体情報と目標生体情報の差を算出する方法、刺激の強さを決定する方法）を格納することができ、入出力されるデータ（例えば、獲得された生体情報、目標または設定生体情報、刺激の強さ情報など）を臨時で格納してもよい。メモリは、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（ｒａｎｄｏｍ  ａｃｃｅｓｓ  ｍｅｍｏｒｙ）、ＳＲＡＭ（ｓｔａｔｉｃ  ｒａｎｄｏｍ  ａｃｃｅｓｓ  ｍｅｍｏｒｙ）、ＲＯＭ（Ｒｅａｄ  Ｏｎｌｙ  Ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、ＰＲＯＭ（ｐｒｏｇｒａｍｍａｂｌｅ  ｒｅａｄ−ｏｎｌｙ  ｍｅｍｏｒｙ）、磁気メモリ、磁気ディスク、光ディスクのうち少なくとも１つのタイプの格納媒体を含むことができる。
【００３３】
インターフェース部は、ホルメシス誘導装置に連結される外部機器との通路の役目をすることができる。インターフェース部は、外部機器からデータを伝送されるか、または電源を供給されてホルメシス誘導装置内部の各構成要素に伝達するか、またはホルメシス誘導装置内部のデータ（例えば、生体情報及び刺激の強さ）が外部機器に伝送されるようにする。
【００３４】
制御部は、通常、ホルメシス誘導装置の全般的な動作を制御する。そのうち、特に、制御部は、取得された生体情報とホルメシスを誘導するために好ましいと設定した目標生体情報の差を算出し、これに基づいて刺激の強さを決定することができる。これにより、照射する光の種類、光量、光照射時間、光の波長及び温度のうち１つ以上を制御することができる。制御部は、光照射制御部、温度制御部を含むことができる。
【００３５】
刺激生成部は、制御部で決定された刺激の強さに基づいて果菜類に光を照射するか、または温度を調節して適用する。
【００３６】
刺激生成部は、詳細には、光源を制御して発生させる光源部と、温度を高めるヒーター、温度を低めるクーラーなどを含むことができる。光源部がホルメシス誘導装置に装備される形態は多様であるが、紫外線発光ダイオードを含むことができ、多様な波長帯の光を発光する発光ダイオードグループを１種または２種以上組み合わせて含んでもよく、これら発光ダイオードグループがモジュール形態で設置されてもよい。
【００３７】
例えば、光源部は、第１波長帯域の光を発光する第１発光ダイオードグループ、第２波長帯域の光を発光する第２発光ダイオードグループ、第３波長帯域の光を発光する第３発光ダイオードグループ及び第４波長帯域の光を発光する第４発光ダイオードグループのうち１種または２種以上を含むことができる。
【００３８】
第１〜第３発光ダイオードグループは、果菜類のホルメシスを誘導するに適した波長帯で構成されており、第４発光ダイオードグループは、果菜類に存在する微生物を殺菌する機能を行うことができる。
【００３９】
具体的に、第１発光ダイオードグループは、３２０ｎｍ〜４００ｎｍ波長帯域内で選択される互いに異なる波長の光を発光する発光ダイオードを１つ以上含み、第２発光ダイオードグループは、２９０ｎｍ〜３２０ｎｍ波長帯域内で選択される互いに異なる波長の光を発光する発光ダイオードを１つ以上含み、第３発光ダイオードグループは、２００ｎｍ〜２９０ｎｍ波長帯域内で選択される互いに異なる波長の光を発光する発光ダイオードを１つ以上含み、第４発光ダイオードグループは、５９５ｎｍ〜６００ｎｍ波長帯域内で選択される互いに異なる波長の光を発光する発光ダイオードを１つ以上含むことができる。
【００４０】
また、制御部のうち光照射制御部は、第１発光ダイオードグループ、第２発光ダイオードグループ、第３発光ダイオードグループまたは第４発光ダイオードグループに流される電流のオン／オフを並列的に制御する光選択制御部と、第１発光ダイオードグループ、第２発光ダイオードグループ、第３発光ダイオードグループまたは第４発光ダイオードグループに印加される電流の量を並列的に制御する光量制御部と、電流の印加時間を制御する時間制御部と、を含むことができる。
【００４１】
また、制御部のうち温度制御部は、果菜類周辺の温度を制御することができる。
（発明の実施のための形態）
【００４２】
以下、実施形態を通じて本発明を詳しく説明する。但し、下記実施形態は、本発明をさらに詳しく説明するための例に過ぎず、本発明の権利範囲を制限しない。
【００４３】
第１実施形態
図１は、本発明の第１実施形態による収穫された果菜類のホルメシス誘導装置を示す斜視図である。図２は、図１の切断線Ｉ−Ｉ’に沿って切り取られた断面図である。
【００４４】
図１及び図２を参照すれば、本発明の果菜類のホルメシス誘導装置は、保管ケース１００、光源部２００及び光照射制御部３００を含む。図１及び図２に示されたように、保管ケース１００には、野菜及び果物が収納される収納部１３０が形成される。光源部２００は、保管ケース１００内に配置され、収納部１３０の内部、すなわち収納部１３０内の野菜及び果物に向けて互いに異なる波長の光を選択的に照射する。光照射制御部３００は、収納部１３０に収納された果菜類の生体情報によって光源部２００を制御し、光源部２００から保管ケース１００の収納部１３０に向けて照射される光の種類、量及び照射時間を制御する。すなわち、果菜類のホルメシス誘導装置は、収納部１３０に収納される野菜及び果物の生体情報によって、光照射制御部３００が光源部２００で照射される光の種類、量または照射時間を制御することによって、保管ケース１００の収納部１３０に収納される野菜及び果物でホルメシス誘導させる。
【００４５】
保管ケース１００は、野菜及び果物を収納し、収納された野菜及び果物に光が照射され得る空間を提供するものであって、内部ケース１１０、外部ケース１２０、収納部１３０及び空間部１４０を含む。
【００４６】
内部ケース１１０は、少なくとも一面が開放されることによって、内部に収納部１３０が形成される。したがって、収納部１３０には、野菜及び果物が収納及び保管され得る。内部ケース１１０は、光源部２００から由来した光が収納部１３０内の野菜及び果物を向けて照射され得るように、透光性物質で構成されることが好ましい。また、内部ケース１１０は、収納部１３０に保管される野菜及び果物が外部の物理的衝撃によって損傷されないように、柔軟性物質で構成され得る。
【００４７】
外部ケース１２０は、内部ケース１１０の外周面を離隔して取り囲むように形成される。また、外部ケース１２０は、その一部が内部ケース１１０と連結され、内部ケース１１０を物理的に支持する。このような２つのケース１１０、１２０の離隔配置及び一部連結によって、２つのケース１１０、１２０の間には、密閉された空間部１４０が形成される。
【００４８】
内部ケース１１０の開放された一面は、蓋体９００によって覆われることによって、保管ケース１００の内部は密閉されてもよい。蓋体９００は、内部に空間部９１０が形成される。蓋体９００は、プラスチックなど多様な物質で構成されてもよい。但し、保管ケース１００の収納部１３０に対向する蓋体９００の一面（蓋体の下部面）９２０は、光源部２００の透光性物質で構成されることが好ましい。
【００４９】
光源部２００は、保管ケース１００及び蓋体９００内に配置され、収納部１３０に向けて光を照射することによって、収納部１３０内に収納された野菜及び果物でホルメシスを誘導させる役目をする。したがって、光源部２００の位置は、収納部１３０に向けて光を照射することができる所なら、特に限定されない。本発明の第１実施形態において、光源部２００は、保管ケース１００の空間部１４０及び蓋体９００の空間部１４６に位置し、前記光源部２００で発生した光が透光性の内部ケース１２０及び蓋体９００の透光性である一面を透過し、収納部１３０の野菜及び果物に照射される。
【００５０】
光源部２００で発生する光は、収納部１３０内の野菜及び果物に照射され、ホルメシスを誘導する。したがって、光源部２００は、収納部１３０に収納される野菜及び果物の生体情報によって野菜及び果物に適した波長の光を選択的に照射できるように具備される。すなわち、本発明の光源部２００で照射された光は、収納部１３０内の野菜及び果物に外部ストレスとして作用してホルメシスを誘導する。このようなホルメシスによって野菜及び果物は健康機能性物質の含有量が適切に増加する。
【００５１】
特に、光源部２００は、紫外線発光ダイオードを含むことが好ましい。紫外線発光ダイオードは、紫外線ランプとは異なって、発熱が顕著に少ないため、熱によって発生される健康機能性物質の生産効率低下や熱に弱い栄養素の変性及び破壊を防止することができる。また、紫外線発光ダイオードは、紫外線ランプのように波長幅が広い紫外線を照射するものではなく、半値幅が狭い特定波長の紫外線を野菜及び果物に照射することによって、ホルメシス誘導効率を向上させることができる。
【００５２】
また、光源部２００は、多様な種類（または波長）の紫外線を発光できる紫外線発光ダイオードを含むことが好ましい。植物の種類及び照射される紫外線の種類によって刺激反応メカニズムにより植物で生成される生体防御物質の種類が互いに異なる。したがって、収納部１３０に収納される野菜または果物の種類及び野菜または果物で目的とする増加対象の健康機能性物質の種類によって紫外線の種類を選択的に照射する必要がある。したがって、光源部２００は、第１波長帯域の光を発光する第１発光ダイオードグループ２１０、第２波長帯域の光を発光する第２発光ダイオードグループ２２０及び第３波長帯域の光を発光する第３発光ダイオードグループ２３０を含み、多様な波長の紫外線が選択的に野菜及び果物に照射され得る。特に、本発明の第１実施形態では、光源部２００は、第１発光ダイオードグループ２１０は、３２０ｎｍ〜４００ｎｍ波長帯域内で選択される互いに異なる特定波長の光を発光する発光ダイオードを１つ以上含み、第２発光ダイオードグループ２２０は、２９０ｎｍ〜３２０ｎｍ波長帯域内で選択される互いに異なる特定波長の光を発光する発光ダイオードを１つ以上含み、第３発光ダイオードグループ２３０は、２００ｎｍ〜２９０ｎｍ波長帯域内で選択される互いに異なる特定波長の光を発光する発光ダイオードを１つ以上含むが、これに限定されない。
【００５３】
紫外線の種類以外に、照射される紫外線の光量（または強さ）及び照射時間によっても植物の刺激反応メカニズムにより生成される生体防御物質の種類が変わる。したがって、光源部２００によって照射される紫外線の種類をはじめとして、収納される野菜及び果物の種類によって光量（または強さ）及び照射時間が適切に調節される必要がある。したがって、本発明の野菜及び果物ホルメシス誘導装置は、収納された野菜及び果物の情報によって照射される光を制御する光照射制御部３００を含むことができる。
【００５４】
光照射制御部３００は、収納部１３０に収納された野菜及び果物の情報によって、光源部２００で発生する光の種類、量または照射時間を制御する。したがって、光照射制御部３００は、光選択制御部３１０、光量制御部３２０及び時間制御部３３０を含むことができる。光選択制御部３１０は、収納部１３０に収納された野菜及び果物の種類に関する情報によって、第１発光ダイオードグループ、第２発光ダイオードグループまたは第３発光ダイオードグループに流される電流のオン／オフをそれぞれ独立的に制御する。光量制御部３２０は、収納部１３０に収納された野菜及び果物の量に関する情報によって、第１発光ダイオードグループ、第２発光ダイオードグループまたは第３発光ダイオードグループに流される電流の量をそれぞれ独立的に制御する。また、時間制御部３３０は、収納部１３０に収納された野菜及び果物の種類及び量に関する情報によって、電流を流す時間を制御する。
【００５５】
野菜及び果物ホルメシス誘導装置は、収納部１３０内に収納される野菜及び果物の種類または量などの情報を入力する野菜及び果物情報入力部４００をさらに含むことができ、野菜及び果物情報入力部４００によって入力された野菜及び果物生体情報と目標生体情報の差を算出し、これに基づいて刺激の強さが決定されれば、光照射制御部３００は、それによって光の種類、量及び照射時間を制御する。
【００５６】
果菜類のホルメシス誘導装置は、野菜及び果物情報入力部４００によって入力された野菜及び果物の種類または量などに関する情報を表示する野菜及び果物情報表示部５００をさらに含むことができる。野菜及び果物情報表示部５００は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、発光ダイオード（Ｌｉｇｈｔ  Ｅｍｉｔｔｉｎｇ  Ｄｉｏｄｅ：発光ダイオード）またはレーザーダイオード（Ｌａｓｅｒ  Ｄｉｏｄｅ）、タッチスクリーン（Ｔｏｕｃｈ  Ｓｃｒｅｅｎ）であってもよい。但し、前記野菜及び果物情報表示部５００は、実施の形態によって省略されてもよい。
【００５７】
第２実施形態
紫外線に対する生物体、特に植物の刺激反応メカニズムは、常温より低い温度のコールド（ｃｏｌｄ）ストレスの下でさらに効果的に作動することが知られている。したがって、野菜及び果物が収納された空間内の温度が常温より高くなることを防止し、収納された野菜及び果物の種類によって適切なコールドストレスを加えて、植物の生体防御物質の生産効率を向上させることができる。
【００５８】
図３は、本発明の第２実施形態による果菜類のホルメシス誘導装置を示す斜視図である。図４は、図３の切断線II−II’に沿って取られた断面図である。
【００５９】
第２実施形態による果菜類のホルメシス誘導装置は、紫外線ストレスを加える第１実施形態の果菜類のホルメシス誘導装置にコールドストレスを加えることができる構成をさらに具備する。図３を参照すれば、本発明の果菜類のホルメシス誘導装置は、第１実施形態による果菜類のホルメシス誘導装置に温度センサー部６００、クーラー８１０、ヒーター８６０、温度情報入力部４５０、温度情報表示部５５０及び温度制御部７００をさらに含むことができる。
【００６０】
温度センサー部６００は、保管ケース１００内に位置し、保管ケース１００の収納部１３０の内部温度情報を収集する。したがって、温度センサー部６００の位置は、収納部１３０内の温度を測定することができる所なら、特に限定されない。本発明の第２実施形態で、温度センサー部６００は、保管ケース１００の下部面側の空間部１４０に位置し、収納部１３０内の温度情報を収集する。
【００６１】
クーラー８１０及びヒーター８６０は、収納部１３０内に適当な温度のコールドストレスを加える。すなわち、クーラー８１０は、収納部１３０内の温度を下げる役目をし、ヒーター８６０は、収納部１３０内の温度を上げる役目をする。したがって、クーラー８１０及びヒーター８６０の位置は、収納部１３０内の温度を調節することができる所なら、特に限定されない。本発明の第２実施形態で、クーラー８１０及びヒーター８６０は、保管ケース１００の側面側の空間部１４０に位置する。
【００６２】
このように、保管ケース１００内に収納部１３０内の温度を調節することができる構成（温度センサー部６００、クーラー８１０及びヒーター８６０）が追加される場合、本発明の第２実施形態による果菜類のホルメシス誘導装置は、温度情報入力部４５０、温度情報表示部５５０及び温度制御部７００を含むことができる。
【００６３】
温度情報入力部４５０は、収納される野菜及び果物の情報によって収納部１３０内の設定温度に関する情報を入力する手段である。
【００６４】
温度制御部７００は、温度情報入力部４５０によって入力された温度情報と温度センサー部６００によって収集された温度情報を比較し、ヒーター及びクーラーのうちいずれか１つの作動を制御する。すなわち、温度センサー部６００によって収集された収納部１３０内の温度が温度情報入力部４５０によって入力された温度より高ければ、クーラー８１０を作動させ、温度センサー部６００によって収集された収納部１３０内の温度が前記温度情報入力部４５０によって入力された温度より低ければ、ヒーター８６０を作動させる。したがって、クーラー８１０とヒーター８６０は、ホルメシス誘導対象野菜及び果物の種類によって相互排他的に作動し、収納部１３０内の温度を適切に維持する。
【００６５】
果菜類のホルメシス誘導装置は、温度情報入力部４５０によって入力された収納部１３０内の設定温度に関する情報を表示する温度情報表示部５５０をさらに含むことができる。温度情報表示部５５０は、野菜及び果物情報表示部５００と同様に、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、発光ダイオード（Ｌｉｇｈｔ  Ｅｍｉｔｔｉｎｇ  Ｄｉｏｄｅ：発光ダイオード）またはレーザーダイオード（Ｌａｓｅｒ  Ｄｉｏｄｅ）、タッチスクリーン（Ｔｏｕｃｈ  Ｓｃｒｅｅｎ）であってもよい。但し、温度情報表示部５５０は、実施の形態によって省略されてもよい。
【００６６】
第３実施形態
本発明の果菜類のホルメシス誘導装置は、土壌に植栽された状態の生長中の果菜類にも適用されてもよい。
【００６７】
図６は、本発明の第３実施形態による果菜類のホルメシス誘導装置が装備されたビニルハウスの断面図である。
【００６８】
第３実施形態による果菜類のホルメシス誘導装置は、紫外線ストレスを加える第２実施形態の果菜類のホルメシス誘導装置の構成を生長中の果菜類に適用したものである。図６を参照すれば、本発明の果菜類のホルメシス誘導装置は、光源部２００及び光照射制御部３００、温度センサー部６００、クーラー８１０、ヒーター８６０、温度情報入力部４５０、温度情報表示部５５０及び温度制御部７００を含むことができる。
【００６９】
光源部２００、温度センサー部６００、クーラー８１０、ヒーター８６０は、ビニルハウスの上部天井ないし側面部に位置することができる。光源部２００は、ビニルハウス内に配置され、ビニルハウスの内部、すなわちビニルハウス内の生長中の果菜類に向けて互いに異なる波長の光を選択的に照射する。光照射制御部３００は、ビニルハウスで生長中の果菜類の生体情報によって光源部２００を制御し、光源部２００でビニルハウス内部及び果菜類に向けて照射される光の種類、量及び照射時間を制御する。すなわち、果菜類のホルメシス誘導装置は、ビニルハウス内の果菜類の生体情報に基づいて、光照射制御部３００が光源部２００で照射される光の種類、量または照射時間を制御することによって、ビニルハウスで生長中の野菜及び果物でホルメシス誘導させる。
【００７０】
光源部２００は、第１波長帯域の光を発光する第１発光ダイオードグループ２１０、第２波長帯域の光を発光する第２発光ダイオードグループ２２０及び第３波長帯域の光を発光する第３発光ダイオードグループ２３０を含み、多様な波長の紫外線が選択的に野菜及び果物に照射されてもよい。また、第４波長帯域の光を発光する第４発光ダイオードグループをさらに含むことができる。
【００７１】
温度センサー部６００は、ビニル内の温度情報を収集する。したがって、温度センサー部６００の位置は、ビニルハウス内の温度を測定できる所なら、特に限定されない。
【００７２】
クーラー８１０及びヒーター８６０は、ビニルハウス内に適当な温度のコールドストレスを加える。すなわち、クーラー８１０は、ビニルハウス内の温度を下げる役目をし、ヒーター８６０は、ビニルハウス内の温度を上げる役目をする。したがって、クーラー８１０及びヒーター８６０の位置は、ビニルハウス内の温度を調節できる所なら、特に限定されない。本発明の第３実施形態で、クーラー８１０及びヒーター８６０は、ビニルハウスの上部天井ないし側面部に位置する。
【００７３】
このように、ビニルハウス内の温度を調節できる構成（温度センサー部６００、クーラー８１０及びヒーター８６０）が具備された場合、本発明の第３実施形態による果菜類のホルメシス誘導装置は、温度情報入力部４５０、温度情報表示部５５０及び温度制御部７００を含むことができる。
【００７４】
温度情報入力部４５０は、果菜類の生体情報によってビニルハウス内の設定温度に関する情報を入力する手段である。
【００７５】
温度制御部７００は、温度情報入力部４５０によって入力された目標温度または設定温度情報と温度センサー部６００によって収集された温度情報を比較し、ヒーター及びクーラーのうちいずれか１つの作動を制御する。すなわち、温度センサー部６００によって収集されたビニルハウス内の温度が温度情報入力部４５０によって入力された目標温度または設定温度より高ければ、クーラー８１０を作動させ、温度センサー部６００によって収集されたビニルハウス内の温度が温度情報入力部４５０によって入力された温度より低ければ、ヒーター８６０を作動させる。したがって、クーラー８１０とヒーター８６０は、ホルメシス誘導対象野菜及び果物の種類によって相互排他的に作動し、ビニルハウス内の温度を適切に維持する。
【００７６】
果菜類のホルメシス誘導装置は、生長中の野菜及び果物の種類または量などの情報を入力する野菜及び果物情報入力部４００をさらに含むことができ、野菜及び果物情報入力部４００によって入力された野菜及び果物生体情報と目標生体情報の差を算出し、これに基づいて刺激の強さが決定されれば、光照射制御部３００は、それによって光の種類、量及び照射時間を制御する。
【００７７】
果菜類のホルメシス誘導装置は、野菜及び果物情報入力部４００によって入力された野菜及び果物の種類または量などに関する情報を表示する野菜及び果物情報表示部５００をさらに含むことができる。また、温度情報入力部４５０によって入力されたビニルハウス内の設定温度に関する情報を表示する温度情報表示部５５０をさらに含むことができる。野菜及び果物情報表示部５００及び温度情報表示部５５０は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、発光ダイオード（Ｌｉｇｈｔ  Ｅｍｉｔｔｉｎｇ  Ｄｉｏｄｅ：発光ダイオード）またはレーザーダイオード（Ｌａｓｅｒ  Ｄｉｏｄｅ）、タッチスクリーン（Ｔｏｕｃｈ  Ｓｃｒｅｅｎ）であることができる。但し、野菜及び果物情報表示部５００は、実施の形態によって省略されてもよい。
【００７８】
温度センサー部６００で測定された生体情報は、インターフェースを通じて遠隔で外部機器に送信されてもよく、これに基づいて光照射制御部３００及び温度制御部７００は、遠隔でビニルハウス内に設置された光源部２００、クーラー８１０、ヒーター８６０を制御することができる。
【００７９】
第３実施形態では、野菜及び果物情報入力部４００、野菜及び果物情報表示部５００、光照射制御部３００、温度情報入力部４５０、温度情報表示部５５０及び温度制御部７００は、ビニルハウスの外部に位置することができ、入出力データを遠隔で伝送し受信し、温室内部の温度及び光照射量の条件を調節することができる。
【００８０】
実施例
以上説明したように、本発明の第１、第２及び第３実施形態による果菜類のホルメシス誘導装置は、野菜及び果物の種類によって紫外線の照射条件及び収納部または温室内の温度条件を適切に調節し、ホルメシスを誘導することによって、各野菜及び果物固有の生体防御物質（健康機能性物質）の含有量を向上させることができる。
【００８１】
本発明の第１、第２及び第３実施形態による果菜類のホルメシス誘導装置を利用してブドウでホルメシスを誘導する場合、２５４ｎｍの紫外線を１７８０μＷ／ｃｍ２〜２３００μＷ／ｃｍ２の光量で、常温で３０分間照射する。その後、０℃で１０日間保管し、１５℃で５日間保管する。このような紫外線を処理してホルメシスを誘導させれば、ブドウ内のレスベラトール（ｒｅｓｖｅｒａｔｒｏｌ）の含有量が約３倍程度向上する。レスベラトールは、抗癌及び抗酸化効能に優れた物質なので、本発明の果菜類のホルメシス誘導装置で紫外線及びコールドストレスによってホルメシスが誘導されたブドウは、健康機能性野菜及び果物として効用性が向上する。
【００８２】
また、よもぎの場合、４．２ｋＪ／ｍ２ｄの紫外線を１４日間処理した結果、カロテノイド増加率は４４．４〜５５．５％、抗酸化酵素活性増加率は３２５％、アルテミシニン（ａｒｔｅｍｉｓｉｎｉｎ）増加率は１．７５倍であり、フラボノイド（ｆｌａｖｏｎｏｉｄ）の増加が観察された。
【００８３】
トマトの場合は、２５４ｎｍの紫外線を１３．７ｋＪ／ｍ２で２１日間照射した結果、リコピン増加率が１．４〜１．８倍に至った。
【００８４】
その他、いちごの場合、抗酸化活性が増加したものが現われ、きのこのビタミンＤの向上が認められ、スイートバジルとペパーミントの場合は、エッセンシャルオイル含有量の増加が認められ、きゅうりの場合、フェノール含有量及び抗酸化活性が増加したものが現われ、チェリーの場合、アントシアニンの増加が観察された。
【００８５】
例示したブドウをはじめとした果菜類は、本発明の果菜類のホルメシス誘導装置を利用する一例に過ぎず、他の野菜及び果物に対して光照射条件及び温度条件を適切に調節することによって、多様な種類の健康機能性物質の含有量を向上させることができる。
【００８６】
以上、本発明を好ましい実施形態及び実施例をあげて詳細に説明したが、本発明は、実施形態及び実施例に限定されず、本発明の技術的思想及び範囲内で当該分野における通常の知識を有する者によってさまざまな変形及び変更が可能である。
【符号の説明】
【００８７】
１００  保管ケース
１１０  内部ケース
１２０  外部ケース
１３０  収納部
１４０  空間部
２００  光源部
２１０  第１発光ダイオードグループ
２２０  第２発光ダイオードグループ
２３０  第３発光ダイオードグループ
３００  光照射制御部
３１０  光選択制御部
３２０  光量制御部
３３０  時間制御部
４００  野菜及び果物情報入力部
４５０  温度情報入力部
５００  野菜及び果物情報表示部
５５０  温度情報表示部
６００  温度センサー部
７００  温度制御部
８１０  クーラー
８６０  ヒーター
９００  蓋体
９１０  蓋体内の空間部
９２０  蓋体の下部面
【図１】
0006290873.tif 000002
【図２】
0006290873.tif 000003
【図３】
0006290873.tif 000004
【図４】
0006290873.tif 000005
【図５】
0006290873.tif 000006
【図６】
0006290873.tif 000007